(57)【要約】【課題】放送番組と共にＥＰＧ等の番組情報を録画する番組録画装置において、装置を複雑化することなく、放送番組と番組情報とを互いに関連付けて録画／再生できる番組録画装置を提供する。【解決手段】放送波を受信して所望の放送番組を含むチャンネルを選局するチューナーユニット３と、放送番組の映像情報を圧縮した主映像情報を生成するビデオエンコーダ７と、放送番組に関するＥＧＰを取得し、画像情報に変換するビットマップ生成器９と、画像情報を圧縮した副映像情報を生成するサブピクチャコンプレッサ１２と、少なくとも主映像情報と副映像情報とを多重化したストリームを形成する多重化回路１３と、ストリームを記録媒体１５に記録する記録部１４とを有し、このストリームを記録／再生する。【選択図】        図１
2004282656.tif 000002
【特許請求の範囲】
【請求項１】
放送番組を録画する番組録画装置において、
放送波を受信して所望の放送番組を含むチャンネルを選局する番組受信手段と、
前記放送番組の映像情報を圧縮した主映像情報を生成する映像圧縮手段と、
放送番組に関する付加情報を取得し、画像情報に変換する画像化手段と、
前記画像情報を圧縮した副映像情報を生成する画像圧縮手段と、
少なくとも前記主映像情報と前記副映像情報とを多重化したストリームを形成する多重化手段と、
前記ストリームを記録媒体に記録する記録手段と
を有することを特徴とする番組録画装置。
【請求項２】
前記付加情報が、電子番組ガイドであることを特徴とする請求項１記載の番組録画装置。
【請求項３】
前記付加情報が、前記放送番組に関する文字情報であることを特徴とする請求項１記載の番組録画装置。
【請求項４】
前記副映像情報の多重化を繰り返し行なうことを特徴とする請求項１記載の番組録画装置。
【請求項５】
前記多重化手段による多重化が、ＭＰＥＧ−２プログラムストリームに準拠して行なわれることを特徴とする請求項１記載の番組録画装置。
【請求項６】
請求項１乃至５の何れかに記載の番組録画装置によって前記ストリームが記録された前記記録媒体に対する再生を行なう番組再生装置において、
前記ストリームを再生する再生手段と、
前記ストリームから前記主映像情報と前記副映像情報とを分離する分離手段と、
該分離手段で分離された前記主映像情報を伸張して前記映像情報を生成する映像伸張手段と、
前記分離手段で分離された前記副映像情報を伸張して前記画像情報を生成する画像伸張手段と、
前記映像情報と前記画像情報とを合成した再生映像情報を出力する映像合成手段と
を有することを特徴とする番組再生装置。
【請求項７】
更に、前記再生映像情報を映像化する描画手段を有することを特徴とする請求項６記載の番組再生装置。
【請求項８】
放送番組を録画する番組録画方法において、
放送波を受信して所望の放送番組を含むチャンネルを選局し、前記放送番組の映像情報を圧縮した主映像情報を生成するステップと、
放送番組に関する付加情報を入手し、画像情報に変換するステップと、
前記画像情報を圧縮した副映像情報を生成するステップと、
少なくとも前記主映像情報と前記副映像情報とを多重化したストリームを形成するステップと、
前記ストリームを記録媒体に記録するステップと
を有することを特徴とする番組録画方法。
【請求項９】
放送番組を録画する番組録画装置において、
放送波を受信して所望の放送番組を含むチャンネルを選局する番組受信手段と、
前記放送波を受信して放送番組に関する電子番組ガイドを取得する電子番組ガイド受信手段と、
前記電子番組ガイドの文字情報をクローズドキャプションに適合する文字コードに変換するキャプション生成手段と、
前記放送番組に前記文字コードを重畳したストリームを形成するキャプション重畳手段と、
前記ストリームを記録媒体に記録する記録手段と
を有することを特徴とする番組録画装置。
【請求項１０】
請求項９記載の番組録画装置によって前記ストリームが記録された前記記録媒体に対する再生を行なう番組再生装置において、
前記ストリームを再生する再生手段と、
前記ストリームから前記放送番組の映像情報と前記文字コードを分離する分離手段と、
前記映像情報と前記画像情報とを合成した再生映像情報を出力する映像合成手段と
を有することを特徴とする番組再生装置。
【発明の詳細な説明】
【０００１】
【発明の属する技術分野】
本発明は、番組録画装置に関し、特に放送番組とその放送番組に関わる電子番組ガイド情報とを共に記録手段に記録する録画装置に関する。
【０００２】
【従来の技術】
従来、録画しようとする番組を記録すると共に、録画する番組の番組情報についても合わせて記録する場合、録画する番組と録画した番組に関する番組情報とを記録手段に別情報として記録していた（例えば、特許文献１参照）。また、録画する番組と録画する番組に関する番組情報を別の記録手段に記録していたものもある（例えば、特許文献２及び特許文献３）。
【０００３】
【特許文献１】
国際特許出願ＷＯ００／０２３８６（第４頁、図１）
【特許文献２】
特開平１１−２０３８４０号公報（第２−６頁、図１）
【特許文献１】
特開０７―１６２７７７号公報（第２頁、図１）
【０００４】
【発明が解決しようとする課題】
上記したように、従来の番組を録画する装置においては、録画する番組及び録画する番組に関する番組情報を合わせて記録する場合、別情報として記録するために、個々の情報を別管理する必要があった。また、録画した番組の再生と番組情報の再生には別の再生手段が必要であり、更に録画した番組と録画した番組の番組情報が関連していることを示すための手段や、関連付けて再生もしくは表示する専用の手段が必要となるため、構成が複雑になってコストアップを招く問題があった。
【０００５】
本発明の目的は、上記の問題点を解消し、録画する番組と録画する番組に関する番組情報とを、装置を複雑化することなく、互いに関連付けて録画／再生できる装置を提供することにある。
【０００６】
【課題を解決するための手段】
本発明による番組録画装置は、放送番組を録画、再生する番組録画装置であって、
放送波を受信して所望の放送番組を含むチャンネルを選局する番組受信手段と、前記放送番組の映像情報を圧縮した主映像情報を生成する映像圧縮手段と、放送番組に関する付加情報を取得し、画像情報に変換する画像化手段と、前記画像情報を圧縮した副映像情報を生成する画像圧縮手段と、少なくとも前記主映像情報と前記副映像情報とを多重化したストリームを形成する多重化手段と、前記ストリームを記録媒体に記録する記録手段と
を有することを特徴とする番組録画装置。
【０００７】
別の発明による番組再生装置は、上記番組録画装置によって前記ストリームが記録された前記記録媒体に対する再生を行なう番組再生装置であって、
前記ストリームを再生する再生手段と、前記ストリームから前記主映像情報と前記副映像情報とを分離する分離手段と、該分離手段で分離された前記主映像情報を伸張して前記映像情報を生成する映像伸張手段と、前記分離手段で分離された前記副映像情報を伸張して前記画像情報を生成する画像伸張手段と、前記映像情報と前記画像情報とを合成した再生映像情報を出力する映像合成手段と
を有することを特徴とする。
【０００８】
更に別の発明による番組録画方法は、放送番組を録画する番組録画方法であって、
放送波を受信して所望の放送番組を含むチャンネルを選局し、前記放送番組の映像情報を圧縮した主映像情報を生成するステップと、放送番組に関する付加情報を入手し、画像情報に変換するステップと、前記画像情報を圧縮した副映像情報を生成するステップと、少なくとも前記主映像情報と前記副映像情報とを多重化したストリームを形成するステップと、前記ストリームを記録媒体に記録するステップと
を有することを特徴とする。
【０００９】
更に別の発明による番組録画装置は、放送番組を録画する番組録画装置であって、
放送波を受信して所望の放送番組を含むチャンネルを選局する番組受信手段と、前記放送波を受信して放送番組に関する電子番組ガイドを取得する電子番組ガイド受信手段と、前記電子番組ガイドの文字情報をクローズドキャプションに適合する文字コードに変換するキャプション生成手段と、前記放送番組に前記文字コードを重畳したストリームを形成するキャプション重畳手段と、前記ストリームを記録媒体に記録する記録手段と
を有することを特徴とする。
【００１０】
更に別の発明の番組再生装置は、上記番組録画装置によって前記ストリームが記録された前記記録媒体に対する再生を行なう番組再生装置において、
前記ストリームを再生する再生手段と、前記ストリームから前記放送番組の映像情報と前記文字コードを分離する分離手段と、前記映像情報と前記画像情報とを合成した再生映像情報を出力する映像合成手段と
を有することを特徴とする
【００１１】
【発明の実施の形態】
実施の形態１．
図１は、本発明による実施の形態１の番組録画装置１の録画ユニット２の構成を示すブロック図である。
【００１２】
先ず録画ユニット２の構成について説明する。アンテナ２１は、チューナーユニット３及びＥＰＧ受信部４の各入力部に接続されている。チューナーユニット３の２つの出力部は、一方がビデオエンコーダ７の入力部に接続され、他方がオーディオエンコーダ８の入力部に接続され、ＥＰＧ受信部４の出力部はビットマップ生成器９及びＥＰＧメモリ１０の各入力部に接続されている。外部映像記録装置２２の出力部は外部映像入力部５の入力部に接続され、外部映像入力部５の出力部は映像音声分離部６に接続されている。映像音声分離部６の２つ出力部は、一方がビデオエンコーダ７の入力部に接続され、他方がオーディオエンコーダ８の入力部に接続されている。
【００１３】
尚、ここでチューナーユニット３は番組受信手段に対応し、ＥＰＧ受信部４及びビットマップ生成器９が画像化手段に対応し、ビデオエンコーダ７及びサブピクチャコンプレサ１２が、それぞれ映像圧縮手段及び画像圧縮手段に対応する。
【００１４】
更に、ビットマップ生成器９の出力部はサブピクチャコンプレッサ１２の入力部に接続され、ビデオエンコーダ７、オーディオエンコーダ８、及びサブピクチャコンプレッサ１２の各出力部は、各々多重化回路１３の入力部に接続され、多重化手段に対応する多重化回路１３の出力部は記録手段としての記録部１４に接続されている。ＥＰＧ情報入力部１１の出力部は、ＥＰＧメモリ１０の入力部に接続され、ＥＰＧメモリ１０の出力部はビットマップ生成器９の入力部に接続されている。
【００１５】
以上の構成において、個々の動作について以下に説明する。
【００１６】
チューナーユニット３は、アンテナ２１で受信した放送波から、録画する放送番組を含むチャンネルを選局し、中間周波信号に変換した上で、映像信号成分と音声信号成分に分離する。更に各々の信号に対して検波、復調することによって以降に必要な映像信号ＰＩＣＳ及び音声信号ＡＵＤＳを生成する。ビデオエンコーダ７は、チューナーユニット３から出力された映像信号ＰＩＣＳを入力し、効率よくデジタル記録するためにこれをデジタル化し、更に圧縮した主映像情報データＤＭＰＩとして出力する。同様にオーディオエンコーダ８も、入力した音声信号ＡＵＤＳをデジタル化し、更に圧縮した音声情報データＤＡＵＤとして出力する。
【００１７】
尚、録画対象である放送番組は、前記した放送波からだけを対象とするものでなく、外部映像記録装置２２に記録されている映像情報についても対応することができる。例えば、外部映像記録装置２２から映像信号及び音声信号を取り込む外部映像入力部５、取り込んだ映像信号及び音声信号を必要に応じて分離する映像音声分離部６を設ける。これらを設けることにより、外部映像記録装置２２から出力された映像信号及び音声信号を外部映像入力部５によって取り込み、取り込んだ映像信号及び音声信号が重畳されている場合には映像音声分離部６によって映像信号と音声信号に分離し、映像信号をビデオエンコーダ７に、音声信号についてはオーディオエンコーダ８にそれぞれ出力する。
【００１８】
この場合、ビデオエンコーダ７及びオーディオエンコーダ８は、例えば図示しない操作入力手段によって、ユーザーが選択する切り換え信号ＳＥＬＤを入力し、この指示に基づいて各々入力選択を行なう。これによって、外部映像記録装置２２に記録されている映像情報についても、放送波から入手した放送番組と同等に扱うことができる。
【００１９】
一方、放送番組の付加情報である電子番組ガイド（以下ＥＰＧ：Ｅｌｅｃｔｒｏｎｉｃ  Ｐｒｏｇｒａｍ  Ｇｕｉｄｅ  と称す）情報は、各番組の、番組名、開始終了時刻、チャンネル、あらすじ、画像等の情報を含んでいるが、放送波がアナログ放送の場合、このＥＰＧ情報は、放送波の映像のすきまである垂直帰線消去期間（以下ＶＢＩ：Ｖｅｒｔｉｃａｌ  Ｂｌａｎｋｉｎｇ  Ｉｎｔｅｒｖａｌ  と称す）に重畳されていることが一般的である。
【００２０】
ＥＰＧ受信部４では、放送番組と同様にアンテナ２１で受信した放送波から、ＥＰＧ情報を含んだチャンネルを選局し、放送波に重畳されたＥＰＧ情報を中間周波信号に変換し、取り出した映像信号のＶＢＩからＥＰＧ情報を取得する。更に場合によっては、暗号の解読処理やエラー訂正処理などの整形処理が行われる。このように整形されたＥＰＧ情報は、番組名、開始終了時刻、チャンネル、あらすじ等の文字情報やサムネイル等の画像情報を含んでいる。
【００２１】
このＥＰＧ情報を含むＥＰＧ信号ＥＰＧＩは、ＥＰＧメモリ１０及びビットマップ生成器９に出力され、ＥＰＧメモリ１０では、必要に応じてＥＰＧ情報が一旦記録される。ビットマップ生成器９は、ＥＰＧ受信部４から入力するＥＰＧ情報、或いはＥＰＧメモリ１０に蓄えられているＥＰＧ情報の文字情報及び画像情報をビットマップ画像に変換する。ビットマップに変換されたＥＰＧ情報は、サブピクチャコンプレッサ１２により、後述の多重化回路１３で主映像情報データＤＭＰＩに多重化するのに適したフォーマットに圧縮された副映像情報データＤＳＰＩとされる。
【００２２】
尚、ＥＰＧ情報は、前記したように放送波に重畳されている場合のほかに、インターネットや専用回線などの通信手段２３やＣＤ−ＲＯＭやフラッシュメモリなどの外部記録媒体２４からも入手することが可能である。ＥＰＧ情報入力部１１は、これ等の通信手段２３や外部記録媒体２４からＥＰＧ情報を取り込み、ＥＰＧメモリ１０に記録する。これにより、以後、前記した放送波からＥＰＧ情報を入手した場合と同等に扱うことができる。
【００２３】
多重化回路１３は、前記したようにビデオエンコーダ７によって圧縮された放送番組の映像情報を主映像情報データＤＭＰＩとして、サブピクチャコンプレッサ１２によって圧縮された放送番組のＥＰＧ情報を副映像情報データＤＳＰＩとして、またオーディオエンコーダ８によって圧縮された放送番組の音声情報を音声情報データＤＡＵＤとして多重化を行う。即ち、多重化回路１３によって、放送番組とＥＰＧ情報が、後述する一つのストリームに多重されたことになる。多重されたストリームは、記録部１４によって記録媒体１５に記録される。以上がＥＰＧ情報を、録画する放送番組に多重記録する番組録画装置１の録画ユニット２の構成及び各部動作である。
【００２４】
図３〜図５は、本実施の形態の番組録画装置１の録画ユニット２が行なう記録時の多重化処理の過程を示すフローチャートである。これらのフローチャートを参照しながら、録画ユニット２の処理動作について更に説明する。
【００２５】
図３において、録画の開始によってフローがスタートすると、映像音声圧縮処理（ステップ（以後Ｓ）１）、ＥＰＧ画像化及び圧縮処理（Ｓ２）、及び多重記録処理（Ｓ３）がそれぞれ開始される。
【００２６】
図４のフローチャートは、ステップ１（図３）の映像音声圧縮処理の開始によって、図１のブロック図に示す関係する箇所が行なう処理動作を示すフローである。ステップ１の映像音声圧縮処理開始により、映像情報及び音声情報の圧縮処理を行うのに必要な前処理が行われる。映像信号ＰＩＣＳ及び音声信号ＡＵＤＳ（図１）は、それぞれビデオエンコーダ７及びオーディオエンコーダ８に読み込まれ（Ｓ１０１）、データエンド検出が行われる（Ｓ１０２）。そして、データエンドであれば処理は中断され（Ｓ１０３）、データエンドを検出しなければ、各エンコーダにより読み込んだ映像及び音声情報の映像音声圧縮処理が行なわれ、主映像情報データＤＭＰＩ及び音声情報データＤＡＵＤが生成される（Ｓ１０４）。この信号処理はステップ１０２で処理するデータが検出されなくなるまで繰り返される。
【００２７】
一方、図５のフローチャートは、ステップ２（図３）のＥＰＧ画像化及び圧縮処理の開始によって、図１のブロック図に示す関係する箇所が行なう処理動作を示すフローである。
【００２８】
ステップ２のＥＰＧ画像化及び圧縮処理開始により、ＥＰＧ情報に対して画像化及び圧縮処理を行うための前処理が行われる。ＥＰＧ情報は、ビットマップ生成器９に読み込まれ（Ｓ２０１）、ＥＰＧ情報についての解析が行われる（Ｓ２０２）。ＥＰＧ情報の解析の例としては、ＥＰＧ情報のデータ形式、多重化を行う対象の情報サイズ、多重化すべきタイミングなどが挙げられる。そして読み込んだＥＰＧ情報について、データエンド検出が行なわれ（Ｓ２０３）、データエンドであればＥＰＧ画像化及び圧縮処理は中断され（Ｓ２０４）、データエンドでなければ解析したＥＰＧ情報における文字情報検出が行なわれる（Ｓ２０５）。
【００２９】
ここで文字情報が検出されると画像化処理によってこれを画像情報に変換し（Ｓ２０７）、更に後の多重化に適したフォーマットへと画像圧縮処理が行われ、副映像情報データＤＳＰＩが生成される（Ｓ２０８）。更にＥＰＧ情報における画像情報の検出が行なわれ（Ｓ２０６）、ここで画像情報が検出されると、この場合画像化処理が不要なため、画像圧縮処理のみが行なわれて同様に副映像情報データＤＳＰＩが生成される（Ｓ２０８）。この信号処理はステップ２０３で処理するデータが検出されなくなるまで繰り返される。
【００３０】
そして図３に示すように、ステップ３の多重記録処理が開始されると、多重化回路１３（図１）において、まず多重化選定処理（Ｓ４）が行なわれる。即ち、上記各ステップで順次生成される主映像情報データＤＭＰＩ、音声情報データＤＡＵＤ、及び副映像情報データＤＳＰＩの各データのうち、次に多重化するデータを何れにするかの選定が行なわれる。
【００３１】
そしてデータエンドの検出が行なわれ（Ｓ５）、データエンドであれば多重処理が中断され、データエンドでなければ、ステップ４での選定結果をもとに、主映像情報データＤＭＰＩ、音声情報データＤＡＵＤ、及び副映像情報データＤＳＰＩが多重化された後述するストリームを形成する多重化処理が行なわれる（Ｓ６）。そして、記録部１４によって、多重化されたストリームの記録媒体１５への記録処理が行なわれる（Ｓ７）。従って、この多重化記録処理は、映像音声情報及びＥＰＧ情報がステップ５で検出されなくなるまで継続される。
【００３２】
尚、前記した図１のブロック図では、ＥＰＧ情報を取得するために、ＥＰＧ受信部４を独立して設けたが、放送番組を受信するチューナーユニット３が、ＥＰＧ受信部４の機能を兼ね備えるように構成することもできる。
【００３３】
次に、主映像情報データＤＭＰＩと副映像情報データＤＳＰＩとが多重されたストリームの再生について説明する。図２は、本発明による実施の形態１の番組録画装置１の再生ユニット部３１の構成を示すブロック図である。尚、この再生ユニット３１は、前記録画ユニット２と一体的に構成することも可能であるが、ここでは説明の簡単のために別構成ユニットとして説明し、また本発明による番組再生装置にも対応する。
【００３４】
先ず再生ユニット３１の構成について説明する。再生部３２の出力部は分離化回路３３の入力部に接続され、分離化回路３３の３つの出力部は、各々ビデオデコーダ３４、サブピクチャデコーダ３５、及びオーディオデコーダ３６の各入力部に接続されている。ビデオデコーダ３４及びサブピクチャデコーダ３５の出力部は、共にオーバーレイ回路３７の入力部に接続され、オーバーレイ回路３７の出力部は、描画手段３８の入力部に接続されている。またオーディオデコーダ３６の出力部は音声出力手段３９の入力部に接続されている。尚、再生部３１は再生手段に対応し、分離化回路３３が分離手段に対応し、ビデオデコーダ３４が映像伸張手段に対応し、サブピクチャデコーダが画像伸張手段に対応し、オーバーレイ回路３７が映像合成手段に対応する。
【００３５】
以上の構成において、再生ユニット３１の動作について以下に説明する。
【００３６】
記録媒体１５に記録された放送番組とＥＰＧ情報が多重されたストリームは、再生部３２によって読み出される。分離化回路３３は、再生部３２によって読み出されたストリームを主映像情報データＤＭＰＩ、副映像情報データＤＳＰＩ及び音声情報データＤＡＵＤに分離し、主映像情報データＤＭＰＩをビデオデコーダ３４に、副映像情報データＤＳＰＩをサブピクチャデコーダ３５に、そして音声情報データＤＡＵＤをオーディオデコーダ３６にそれぞれ出力する。ビデオデコーダ３４は、放送番組などが圧縮された主映像情報データＤＭＰＩを描画可能な映像情報に伸張する。サブピクチャデコーダ３５は、副映像情報データＤＳＰＩを描画可能な画像情報に伸張する。この副映像情報データＤＳＰＩは、放送番組のＥＰＧの文字情報もしくは画像情報である。
【００３７】
オーディオデコーダ３６は、分離化回路３３から出力された圧縮された音声情報データＤＡＵＤを伸張する。オーバーレイ回路３７は、ビデオデコーダ３４から出力された主映像情報である放送番組にサブピクチャデコーダ３５から出力された副映像情報であるＥＰＧ情報を映像的に重ね合わせする。重ね合あわされた主映像情報と副映像情報は、描画手段３８によって画面表示される。音声出力手段３９は、オーディオデコーダ３６から出力された伸張された音声情報を音声出力する。
【００３８】
尚、オーバーレイ回路３７は、図示しない操作入力手段によって、ユーザーが選択する切り換え信号ＳＥＬＤを入力し、サブピクチャデコーダ３５から出力された副映像であるＥＰＧ情報の重ね合わせを行うか否かを切り替えることが出来ように構成されている。この機能により、ユーザーはＥＰＧ情報の表示と非表示を切り替えることができる。
【００３９】
図６は、多重化回路１３による多重化によって生成されるストリームの構成を示す説明図である。同図を参照しながら、このストリーム１００について以下に説明する。
【００４０】
図６の左方向が多重化によって生成されたストリームの先頭方向を示し、右方向がその後端方向を示す。同図に示すように、録画した放送番組の主映像情報データＤＭＰＩは、主映像情報データ（１）１０１、同（２）１０２、同（３）１０５、同（ｉ−１）１０６、同（ｉ）１０７、同（ｉ＋１）１１０のように分割して記録される。同じく録画した放送番組の音声情報データＤＡＵＤについても、音声情報データ（１）１０４、同（ｋ）１０９のように分割して記録される。更に録画した放送番組のＥＰＧ情報である副映像情報データＤＳＰＩも副映像情報データ（１）１０３、同（ｊ）１０８のように分割して記録される。
【００４１】
多重化回路１３（図１）は、再生ユニット３１（図２）がストリーム１００（図６）を再生するときに、再生ユニット３１を構成するビデオデコーダ３４、サブピクチャデコーダ３５、オーディオデコーダ３６に入力される各主映像情報データＤＭＰＩ、副映像情報データＤＳＰＩ、及び音声情報データＤＡＵＤが各々破綻なく連続的に再生できるように、これ等の各データの配列を構成しなければならない。
【００４２】
分離化回路３３（図２）では、多重されたストリーム１００の各構成要素である主映像情報データ１０１，１０２，１０５，１０６，１０７，１１０、音声情報データ１０４，１０９、及び副映像情報データ１０３，１０８の種別を判別し、主映像情報データＤＭＰＩであればビデオデコーダ３４に、音声情報データＤＡＵＤであればオーディオデコーダ３６に、副映像情報データＤＳＰＩであればサブピクチャデコーダ３５にそれぞれ出力する。
【００４３】
尚、前記したフローチャートのステップ１０４（図４）及びステップ２０８（図５）で行なう映像及び音声の圧縮方式をＭＰＥＧの規格に準拠し、ステップ６（図３）で行なう多重化の方式をＭＰＥＧ−２のプログラムストリームの規格に準拠してもよい。
【００４４】
また、映像及び音声の圧縮方式、及び多重化の方式をＤＶＤビデオ規格及びＤＶＤビデオレコーディング規格に準拠し、記録媒体１５としてＤＶＤ−Ｒ及びＤＶＤ−ＲＷなどのＤＶＤビデオ規格及びＤＶＤビデオレコーディング規格に準拠したＤＶＤディスクを採用してもよい。
【００４５】
また、前記したフローチャートのステップ２０１（図５）のＥＧＰ情報の読込みの際に、例えばＥＧＰメモリ１０に蓄えられたＥＰＧ情報を繰り返し読み込むように設定することによって、ＥＰＧ情報を繰り返して多重化するように構成することもできる。
【００４６】
以上のように、実施の形態１の番組録画装置１によれば、多重化回路１３により、放送番組とＥＰＧ情報が１つのストリームに統合されるため、ＥＰＧ情報を記録するための専用の領域を確保したり、またＥＰＧ情報の管理システムを構築する必要がない。そのため放送番組のみを記録するシステムと同じ情報の記録、管理システム構成をとることができる。更に放送番組とＥＰＧ情報が１つのストリームになっているために、ストリームのコピー、移動、消去作業が１つのストリームに対して行うだけでよく、ストリーム管理の簡素化を図ることができる。
【００４７】
また、多重化の方式が、１つのストリームに放送番組とＥＰＧ情報とが主映像と副映像の形で多重化された形式となっているので、主映像の再生に加え副映像の再生を可能とする構成を有する装置によって、録画した放送番組と共にＥＰＧ情報を再生したり、必要に応じてＥＰＧ情報の表示、非表示を切り替えたりすることができる。
【００４８】
また、映像及び音声の圧縮方式と多重化方式をＭＰＥＧに準拠することによって、通常のＭＰＥＧ再生装置においても、録画した番組に関するＥＰＧ情報を表示可能になる。
【００４９】
また、映像及び音声の圧縮方式、及び多重化の方式をＤＶＤビデオ規格に準拠し、録画した放送番組に関するＥＰＧ情報はサブピクチャとして映像情報及び音声情報に多重化した場合、記録媒体としてはＤＶＤビデオ規格に準拠したＤＶＤディスクに記録するのが一般的ではあるが、ハードディスク装置に記録してもよい。ＤＶＤディスクに記録を行った場合は、通常のＤＶＤプレーヤで再生が可能となる。録画したＤＶＤディスクをＤＶＤプレーヤで再生する場合、録画した放送番組は通常の再生方法で視聴することが可能であるが、ＥＰＧ情報についても、ＤＶＤプレーヤの機能であるサブピクチャ或いは字幕の表示スイッチの操作により視聴が可能になる。
【００５０】
また、ＥＰＧ情報を繰り返し多重化することによって、録画した放送番組を視聴している任意の時に、ＥＰＧ情報を呼び出すことが可能となる。
【００５１】
実施の形態２．
図７は、本発明による実施の形態２の番組録画装置５１の録画ユニット５２の構成を示すブロック図である。
【００５２】
先ず録画ユニット５２の構成について説明する。アンテナ２１は、チューナーユニット３及びＥＰＧ受信部４の各入力部に接続されている。チューナーユニット３の出力部はビデオ・オーディオエンコーダ５３の入力部に接続され、ビデオ・オーディオエンコーダ５３の出力部は記録部５５の入力部に接続されている。ＥＰＧ受信部４の出力部はキャプション生成部５４及びＥＧＰメモリ１０の各入力部に接続されている。ＥＰＧメモリ１０の出力部はキャプション生成部５４の入力部に接続され、キャプション生成部５４の出力部はビデオ・オーディオエンコーダ５３入力部に接続されている。尚、図１に示す実施の形態１の録画ユニット２と共通する部分には、同一符号を付している。
【００５３】
尚、ここでチューナーユニット３は番組受信手段に対応し、ＥＰＧ受信部４が電子番組ガイド受信手段に対応し、キャプション生成部５４がキャプション生成手段に対応し、ビデオ・オーディオエンコーダ５３がキャプション重畳手段に対応し、記録部５５が記録手段に対応する。
【００５４】
以上の構成において、個々の動作について以下に説明する。
【００５５】
チューナーユニット３は、アンテナ２１で受信した放送波から、録画する放送番組を含むチャンネルを選局し、中間周波信号に変換した上で、映像信号成分と音声信号成分に分離する。更に各々の信号に対して検波、復調することによって以降に必要な映像信号ＰＩＣＳ及び音声信号ＡＵＤＳを生成する。一方、ＥＰＧ受信部４では、放送番組と同様にアンテナ２１で受信した放送波から、ＥＰＧ情報を含んだチャンネルを選局し、放送波に重畳されたＥＰＧ情報を中間周波信号に変換し、取り出した映像信号のＶＢＩからＥＰＧ情報を取得する。更に場合によっては、暗号の解読処理やエラー訂正処理などの整形処理が行われる。
【００５６】
このＥＰＧ情報を含むＥＰＧ信号ＥＰＧＩは、ＥＰＧメモリ１０及びビットマップ生成器９に出力され、ＥＰＧメモリ１０では、必要に応じてＥＰＧ情報が一旦記録される。キャプション生成部５４は、ＥＰＧ受信部４から入力するＥＰＧの文字情報、或いはＥＰＧメモリ１０に蓄えられているＥＰＧ情報の文字情報をクローズドキャプションに適合する文字コードに変換する。
【００５７】
ビデオ・オーディオエンコーダ５３は、チューナーユニット３から出力された映像信号ＰＩＣＳと音声信号ＡＵＤＳとをデジタル化し、更にＭＰＥＧ−２圧縮を行う。更に、ビデオ・オーディオエンコーダ５３は、キャプション生成部５４から出力されたクローズドキャプション用の文字コードを、ＭＰＥＧ−２に圧縮された映像情報のＧＯＰ（Ｇｒｏｕｐ  Ｏｆ  Ｐｉｃｔｕｒｅ）ヘッダのユーザデータ領域に埋め込む機能も有する。記録部５５は、ＭＰＥＧ−２圧縮された放送番組にＥＰＧ情報をクローズドキャプションとして埋め込んだストリームを記録媒体１４に記録する。
【００５８】
以上がＥＰＧ情報を、クローズドキャプションとして録画する放送番組に重畳する番組録画装置５１の録画ユニット５２の構成及び動作である。
【００５９】
次に、ＥＰＧ情報が、クローズドキャプションとして録画する放送番組に重畳されたストリームの再生について説明する。図８は、本発明による実施の形態２の番組録画装置５１の再生ユニット部６２の構成を示すブロック図である。尚、この再生ユニット６２は、前記録画ユニット５２と一体的に構成することも可能であるが、ここでは説明の簡単のために別構成ユニットとして説明し、また本発明による番組再生装置にも対応する。
【００６０】
先ず再生ユニット６２の構成について説明する。再生部６３の出力部は分離化回路６４の入力部に接続され、分離化回路６４の２つの出力部は、その一方がビデオデコーダ６５の入力部に接続され、他方がオーディオデコーダ６７の入力部に接続されている。ビデオデコーダ６５の一方の出力部はキャプションバッファ６６の入力部に接続され、ビデオデコーダ６５の他方の出力部及びキャプションバッファ６６の出力部は、共にＶＢＩ重畳器６８の入力部に接続され、ＶＢＩ重畳器６８の出力部は、映像出力部７０の入力部に接続されている。そしてオーディオデコーダ６７の出力部は音声出力部６９の入力部に接続され、音声出力部６９及び映像出力部７０の各出力部はテレビ７１の各入力部に接続されている。尚、ここで再生部６３が再生手段に対応し、分離化回路６４、ビデオエンコーダ６５、及びキャプションバッファが分離手段に対応し、ＶＢＩ重畳器６８が映像合成手段に対応する。
【００６１】
以上の構成において、再生ユニット６２の動作について以下に説明する。
【００６２】
再生部６３は、記録媒体１５から、クローズドキャプションが重畳されたストリームの読み出しを行う。分離化回路６４は、再生部６３によって読み出されたストリームを映像情報と音声情報に分離し、映像情報をビデオデコーダ６５に、音声情報をオーディオデコーダ６７にそれぞれ出力する。オーディオデコーダ６７は、分離化回路６４から入力する圧縮されている音声情報を伸張して音声信号ＡＵＤＳとして出力する。音声出力部６９は、この音声信号ＡＵＤＳを入力し、所定の信号処理したのち再生ユニット６２の外部に音声出力する。
【００６３】
ビデオデコーダ６５は、圧縮された映像情報を伸張して映像信号ＰＩＣＳとして出力すると共に、ＭＰＥＧ−２のＧＯＰヘッダのユーザデータ領域に埋め込まれたクローズドキャプションのＥＰＧ情報の文字コードを分離してキャプションバッファ６６に出力し、キャプションバッファ６６はこの文字コードを一時的に蓄える。ＶＢＩ重畳器６８は、ビデオデコーダ６５で伸張された映像信号ＰＩＣＳのＶＢＩに、キャプションバッファ６６で蓄えられたクローズドキャプションの文字コードＣＨＡＲを重畳する。映像出力部７０は、このようにしてＶＢＩ重畳器６８から出力された合成映像信号を入力し、所定の信号処理したのち再生ユニット６２の外部に画像出力する。
【００６４】
この再生ユニット６２から出力される前記音声出力及び画像出力を入力するテレビ７１は、クローズドキャプション対応のテレビであり、ＶＢＩにクローズドキャプションの文字コードが入っている場合、例えばユーザーの操作により前記文字コードを映像に重ねて表示する機能を有するものである。従って、この映像出力がＶＢＩにＥＰＧ情報が重畳されている場合、このクローズドキャプション対応のテレビ７１によって、録画した放送番組を視聴しながら、ＥＰＧ情報を視聴することが可能になる。
【００６５】
尚、本実施の形態２において、特にエンコード及び記録方法をＤＶＤビデオ規格に準拠させることにより、記録媒体１５としてＤＶＤ−ＲなどのＤＶＤビデオ規格に準拠したディスクを採用し、これに記録するようにしてもよい。その場合再生ユニット６２としてＤＶＤプレーヤを利用することができる。
【００６６】
以上のように、実施の形態２の番組録画装置５１によれば、ＥＰＧ情報をＭＰＥＧ−２のデータ内に重畳させて１つのストリームにすることができるので、ＥＰＧ情報を記録するための専用の領域を確保したり、またＥＰＧ情報の管理システムを構築する必要がない。そのため放送番組のみを記録するシステムと同じ情報の記録、管理システム構成をとることができる。更に放送番組とＥＰＧ情報が１つのストリームになっているために、ストリームのコピー、移動、消去作業が１つのストリームに対して行うだけでよく、ストリーム管理の簡素化を図ることができる。
【００６７】
また、ＥＰＧ情報がクローズドキャプションの規格に準拠して重畳されるので、クローズドキャプションに対応した再生装置でＥＰＧ情報の視聴ができる。
【００６８】
更に、エンコードおよび記録方法をＤＶＤビデオ規格に準拠し、ＤＶＤ−ＲなどのＤＶＤビデオ規格に準拠したＤＶＤディスクに記録することによって、ＤＶＤプレーヤによってＥＰＧ情報の視聴が可能になる。
【００６９】
【発明の効果】
本発明によれば、ＥＰＧ情報を、録画した番組に多重して記録するので、ＥＰＧ情報を記録するための専用の領域を確保する必要が無く、ＥＰＧ情報の管理システムを簡素化することができる。また、録画した放送番組とＥＰＧ情報が１つのストリームに多重されているため、ダビングやコピー、更には削除行為を簡単に行うことができる。
【図面の簡単な説明】
【図１】本発明による実施の形態１の番組録画装置１の録画ユニット２の構成を示すブロック図である。
【図２】本発明による実施の形態１の番組録画装置１の再生ユニット部３１の構成を示すブロック図である。
【図３】本実施の形態の番組録画装置１の録画ユニット２が行なう記録時の多重化処理の過程を示すフローチャートである。
【図４】本実施の形態の番組録画装置１の録画ユニット２が行なう記録時の多重化処理の過程を示すフローチャートである。
【図５】本実施の形態の番組録画装置１の録画ユニット２が行なう記録時の多重化処理の過程を示すフローチャートである。
【図６】多重化回路１３による多重化によって生成されるストリームの構成を示す説明図である。
【図７】本発明による実施の形態２の番組録画装置５１の録画ユニット５２の構成を示すブロック図である。
【図８】本発明による実施の形態２の番組録画装置５１の再生ユニット部６２の構成を示すブロック図である。
【符号の説明】
１  番組録画装置、  ２  録画ユニット、  ３  チューナーユニット、  ４  ＥＧＰ受信部、  ５  外部映像入力部、  ６  映像音声分離部、  ７  ビデオエンコーダ、  ８  オーディオエンコーダ、  ９  ビットマップ生成器、  １０  ＥＧＰメモリ、  １１  ＥＧＰ情報入力部、  １２  サブピクチャコンプレッサ、  １３  多重化回路、  １４  記録部、  １５  記録媒体、  ２１  アンテナ、  ２２  外部映像記録装置、  ２３  通信手段、  ２４  外部記録媒体、  ３１  再生ユニット、  ３２  再生部、  ３３  分離回路、  ３４  ビデオデコーダ、  ３５  サブピクチャデコーダ、  ３６  オーディオデコーダ、  ３７  オーバーレイ回路、  ３８  描画手段、  ３９  音声出力手段、  ５１  番組録画装置、  ５２  録画ユニット、  ５３  ビデオ・オーディオエンコーダ、  ５４キャプション生成部、  ５５  記録部、  ６２  再生ユニット、  ６３  再生部、  ６４  分離化回路、  ６５  ビデオデコーダ、  ６６  キャプションバッファ、  ６７  オーディオデコーダ、  ６８  ＶＢＩ重畳器、  ６９  音声出力部、  ７０  映像出力部、  ７１  テレビ。
【図１】
2004282656.tif 000003
【図２】
2004282656.tif 000004
【図３】
2004282656.tif 000005
【図４】
2004282656.tif 000006
【図５】
2004282656.tif 000007
【図６】
2004282656.tif 000008
【図７】
2004282656.tif 000009
【図８】
2004282656.tif 000010